(57)【要約】      （修正有）【課題】使用者が専念したいアプリケーションを起動しているときの着信割込みを容易に防止することができる携帯電話を提供する。【解決手段】着信可能な通常モードと、電波の送出を停止して着信を行わないオフラインモード又は着信時に不在処理を行う不在モードを備え、アプリケーションの動作中にオフラインモード又は不在モードとする設定を行う自動モード遷移設定手段と、自動モード遷移設定手段で設定した内容を記憶し、選択指示によってアプリケーションを起動するアプリケーション起動手段と、アプリケーション起動手段への選択指示に基づいてオフラインモード又は不在モード否かを判別する自動モード遷移判別手段とを有し、自動モード遷移判別手段でオフラインモード又は不在モードを判別するとアプリケーションの起動時に通常モードからオフラインモード又は不在モードに自動的に遷移可能である。【選択図】図２
2006229415.tif 000002
【特許請求の範囲】
【請求項１】
着信可能な通常モードと、電波の送出を停止して着信を行わないオフラインモード又は着信時に不在処理を行う不在モードとを備えた携帯電話であって、
アプリケーションの動作中に前記オフラインモード又は前記不在モードとする設定を行う自動モード遷移設定手段と、前記自動モード遷移設定手段で設定した内容を記憶する設定データ記憶部と、選択指示によって前記アプリケーションを起動するアプリケーション起動手段と、前記アプリケーション起動手段への前記選択指示に基づいて前記設定データ記憶部に前記オフラインモード又は前記不在モードの設定が記憶されているか否かを判別する自動モード遷移判別手段とを有し、
前記自動モード遷移判別手段で前記オフラインモード又は前記不在モードの設定を判別すると前記アプリケーションの起動時に前記通常モードから前記オフラインモード又は前記不在モードに自動的に遷移することを特徴とする携帯電話。
【請求項２】
前記アプリケーションの終了時に前記オフラインモード又は前記不在モードから前記通常モードに自動的に遷移する遷移モード解除手段を有することを特徴とする請求項１に記載の携帯電話。
【発明の詳細な説明】
【技術分野】
【０００１】
本発明は、着信可能な通常モードと、電波の送出を停止して着信を行わないオフラインモード又は着信時に不在処理を行う不在モードとを備える携帯電話に関する。
【背景技術】
【０００２】
一般に、携帯電話は、着信や発信、あるいはメールの送受信やインターネット接続等が可能な通常モード（オンラインモード）のほかに、電波の送出を停止して着信や緊急通報以外の発信、メールの送受信やインターネット接続等を行わないオフラインモード、さらには、着信時に使用者が不在（電話に出られない）として応答メッセージを流したりその携帯電話のキャリアに応答や留守録を依存したりする（本願においてはこのような処理を「不在処理」という。）不在モードを備えている（特許文献１参照）。オフラインモードは、使用者が周囲の電子機器に悪影響が及ばないように配慮しつつ通信を伴わない機能を利用するときに便利であり、不在モードは、使用者が自動車を運転しているときにその旨の応答メッセージを流したりする（以下、この「運転中」用の不在モードを「ドライブモード」という。）のに便利であるが、これらのモードは、さらに一般的に、使用者が音声着信等の割込みにより中断したくないアプリケーションを起動しているときに有効である。
すなわち、例えば使用者がカメラ付きの携帯電話で動画撮影用のアプリケーションを起動して動画撮影を行っていたり、忘却防止のためにメモ用のアプリケーションを起動してメモを入力していたりするときに、通常モードで音声着信やメール着信があると、作業が中断したり使用者の気が殺がれてしまったりする。このような事態を避けるには、使用者は専念したい作業に先立って逐一通常モードからオフラインモードや不在モードに切り替えればよく、これにより着信の割込みを防止することができるが、そのようなモード遷移の操作は使用者にとって煩雑であるため、結局は専念したい作業も通常モードのまま強いられるということが多い。
【特許文献１】特開２００４−８０３０８号公報
【発明の開示】
【発明が解決しようとする課題】
【０００３】
本発明は、上記の事情に鑑みて為されたもので、使用者が専念したいアプリケーション（専念したい作業に対応するアプリケーション）を起動しているときの着信割込みを容易に防止することができる携帯電話を提供することを目的としている。
【課題を解決するための手段】
【０００４】
上記課題を解決するため、請求項１記載の本発明の携帯電話は、着信可能な通常モードと、電波の送出を停止して着信を行わないオフラインモード又は着信時に不在処理を行う不在モードとを備えた携帯電話であって、アプリケーションの動作中に前記オフラインモード又は前記不在モードとする設定を行う自動モード遷移設定手段と、前記自動モード遷移設定手段で設定した内容を記憶する設定データ記憶部と、選択指示によって前記アプリケーションを起動するアプリケーション起動手段と、前記アプリケーション起動手段への前記選択指示に基づいて前記設定データ記憶部に前記オフラインモード又は前記不在モードの設定が記憶されているか否かを判別する自動モード遷移判別手段とを有し、前記自動モード遷移判別手段で前記オフラインモード又は前記不在モードの設定を判別すると前記アプリケーションの起動時に前記通常モードから前記オフラインモード又は前記不在モードに自動的に遷移することを特徴とする。
請求項２記載の本発明は、請求項１に記載の携帯電話において、前記アプリケーションの終了時に前記オフラインモード又は前記不在モードから前記通常モードに自動的に遷移する遷移モード解除手段を有することを特徴とする。
【発明の効果】
【０００５】
本発明に係る携帯電話によれば、所定のアプリケーションの起動時に通常モードからオフラインモード又は不在モードに自動的に遷移するとともに、その所定のアプリケーションを使用者が指定することが可能であるので、使用者が専念したいアプリケーションを予め所定のアプリケーションに指定しておくことによって、その専念したいアプリケーションを起動する度にモード遷移の操作を行わなくても通常モードからオフラインモード又は不在モードに自動的に切り替わり、専念したいアプリケーションを起動しているときの着信割込みを容易に防止することができる。
【発明を実施するための最良の形態】
【０００６】
本発明の第１の実施の形態による携帯電話は、アプリケーションの動作中にオフラインモード又は不在モードとする設定を行う自動モード遷移設定手段と、自動モード遷移設定手段で設定した内容を記憶する設定データ記憶部と、選択指示によってアプリケーションを起動するアプリケーション起動手段と、アプリケーション起動手段への前記選択指示に基づいて設定データ記憶部にオフラインモード又は不在モードの設定が記憶されているか否かを判別する自動モード遷移判別手段とを有し、自動モード遷移判別手段でオフラインモード又は不在モードの設定を判別するとアプリケーションの起動時に通常モードからオフラインモード又は不在モードに自動的に遷移するものである。本実施の形態によれば、使用者が専念したいアプリケーションを所定のアプリケーションに指定しておくことによって、その専念したいアプリケーションの起動ごとにモード遷移の操作を行わなくても通常モードからオフラインモード又は不在モードに自動的に切り替わるので、専念したいアプリケーションを起動しているときの着信割込みを容易に防止することができる。
本発明の第２の実施の形態は、第１の実施の形態による携帯電話において、アプリケーションの終了時にオフラインモード又は不在モードから通常モードに自動的に遷移する遷移モード解除手段を有するものである。本実施の形態によれば、使用者が専念したいアプリケーションを終了したときに、オフラインモード又は不在モードから通常モードに自動的に切り替わるので、使用者は通常モードに戻すためのモード遷移の操作を行う必要がなく、また、オフラインモード又は不在モードから通常モードへの戻し忘れも防止することができる。
【実施例１】
【０００７】
以下、本発明の実施例について図面を用いてより具体的に説明する。
図１は、本発明の実施例１による携帯電話の構成を示すブロック図である。この携帯電話１は、表示部２、キー操作部３、無線部４、カメラ５、プログラムコード記憶部６、設定データ記憶部７及び制御部８を有する。
表示部２は液晶又は有機ＥＬ等からなり、着信番号や発信番号、送受信メールの内容、ウェブページ、操作メニュー、待受画面等が表示される。キー操作部３は番号（及び文字）入力用のテンキー並びに各種機能が割り当てられたファンクションキーの総称であり、使用者は表示部２を見ながらキー操作部３を操作することにより、携帯電話１の各種機能の利用や設定を行うことができる。
無線部４は通信用電波の送受信に用いられ、カメラ５は静止画撮影及び動画撮影に使用される。プログラムコード記憶部６には、携帯電話１の諸機能に対応する各種アプリケーションプログラムが記憶され、設定データ記憶部７には、使用者がカスタマイズして設定する各種データが記憶される。制御部８はＣＰＵ等により構成され、上記各部を統合制御する。制御部８は、アプリケーションの動作中にオフラインモード又は不在モードとする設定を行う自動モード遷移設定手段８１と、選択指示によってアプリケーションを起動するアプリケーション起動手段８２と、アプリケーション起動手段８２への選択指示に基づいて設定データ記憶部７にオフラインモード又は不在モードの設定が記憶されているか否かを判別する自動モード遷移判別手段８３と、アプリケーションの終了時にオフラインモード又は不在モードから通常モードに自動的に遷移する遷移モード解除手段８４とを有する。
【０００８】
この携帯電話１は、着信や発信、メールの送受信やインターネット接続等が可能な通常モード（オンラインモード）と、無線部４による電波の送出を停止して着信や緊急通報以外の発信、メールの送受信やインターネット接続等を行わないオフラインモードと、着信時に不在処理として運転中である旨の応答メッセージを流す等の処理をするドライブモードとを備えている。また、携帯電話１では、所定のアプリケーションの起動時に通常モードからオフラインモード又はドライブモードに自動的に遷移（移行）するとともに、その所定のアプリケーションを使用者が指定することが可能となっている。
詳細には、使用者がキー操作部３を操作して設定機能を呼び出すと、制御部８は表示部２に携帯電話１の設定を行うための設定メニューを表示する。ここで、使用者が設定メニューの項目の中から自動モード遷移設定メニューを選択し、アプリケーションと、そのアプリケーションの起動時に自動的に遷移するモードとの組み合わせを指定して設定すると、自動モード遷移設定手段８１によってアプリケーションの動作中にオフラインモード又は不在モードとする設定を行う。自動モード遷移設定手段８１で設定した内容は、設定データ記憶部７に記憶される。なお、自動モード遷移設定メニューで指定可能なモードは、ここではオフラインモードかドライブモードであるが、携帯電話１が不在モードとして他のモードを有する場合には、そのモードも指定対象としてよい。
【０００９】
次に、遷移処理の流れについて説明する。図２は、本発明の実施例１による携帯電話のモード遷移処理を示すフローチャートである。
以上の事前設定がなされた上で、使用者がキー操作部３を操作して任意のアプリケーションの起動を指定すると（ステップ１）アプリケーション起動手段８２によってアプリケーションを起動する。アプリケーション起動手段８２への選択指示に基づいて、自動モード遷移判別手段８３は設定データ記憶部７に記憶された自動モード遷移設定に関するデータを参照してオフラインモード又は不在モードの設定が記憶されているか否かを判別し（ステップ２）、指定されたアプリケーションに対してモード遷移が設定されていれば通常モードから設定されているモード（オフラインモード又はドライブモード）に遷移する（ステップ３）。そして、このモードの遷移が完了すると、アプリケーション起動手段８２はプログラムコード記憶部６に記憶されたアプリケーションプログラムの中から指定されたアプリケーションに対応するプログラムを起動する（ステップ４）。一方、ステップ２において、指定されたアプリケーションに対してモード遷移が設定されていなければ、モードの遷移を行うことなく、ステップ４に移る。
【００１０】
例えばカメラ５による動画撮影用のアプリケーション（以下「カメラアプリケーション」という。）に対してオフラインモードが設定されている場合に、使用者がカメラアプリケーションの起動を指定すると、アプリケーション起動手段８２はカメラアプリケーションを起動すると同時に（厳密には既述のように起動直前に）通常モードからオフラインモードに切り替えて無線部４に対する処理を停止する。このように使用者がカメラアプリケーションの起動ごとにモード遷移の操作を行わなくても通常モードからオフラインモードに自動的に切り替わることにより、カメラアプリケーションを起動しているときの着信割込みを容易に防止することができる。
また、カメラアプリケーションに対してオフラインモードではなくドライブモードが設定されている場合には、カメラアプリケーションの起動中に音声着信があった際には現在運転中である旨の応答メッセージが流れ、メール着信があった際には使用者に知らせることなく受信だけ行っていずれにしても不在着信扱いとなり、使用者はアプリケーションの利用中に音声着信やメール着信があったことをアプリケーションの終了後即座に知ることができ、高い利便性を得ることができる。
【実施例２】
【００１１】
図３は、本発明の実施例２による携帯電話のモード遷移処理を示すフローチャートである。
本実施例では、上記携帯電話１が、所定のアプリケーションの終了時にオフラインモード又は不在モードから通常モードに自動的に遷移するように設定されている。
すなわち、使用者がキー操作部３を操作してアプリケーションの終了を指定すると（ステップ５）、制御部８はアプリケーションを終了させるとともに（ステップ６）、設定データ記憶部７に記憶された自動モード遷移設定に関するデータを参照する（ステップ７）。そして、そのアプリケーションに対してモード遷移が設定されていれば、遷移モード解除手段８４によって設定されているモード（オフラインモード又はドライブモード）から通常モードに遷移し（ステップ８）、制御部８は無線部４に対する処理を再開する。このとき、制御部８がステップ７において設定データ記憶部７を参照する代わりに、その時点におけるモードが通常モードであるか否かを判断し、通常モードでない場合に限りステップ８に移行して通常モードに遷移することにしてもよい。ただし、このような構成では、アプリケーションの終了時には常に通常モードとなる。
本実施例による携帯電話では、使用者がカメラアプリケーション等の専念したいアプリケーションを終了したときに、オフラインモード又は不在モードから通常モードに自動的に切り替わるので、使用者は通常モードに戻すためのモード遷移の操作を行う必要がなく、また、オフラインモード又は不在モードから通常モードへの戻し忘れも防止することができる。
【００１２】
なお、本発明は以上説明した実施例に限られるものではなく、例えば上記各実施例ではアプリケーションと自動的に遷移するモードとの組み合わせが複数用意され、使用者がその組み合わせの中から単数又は複数の指定を行うようになっているが、使用者がアプリケーションと自動的に遷移するモードとをそれぞれ独立に指定することができるようになっていてもよい。
【産業上の利用可能性】
【００１３】
本発明は、音声通話のみならずそれ以外の機能（カメラ撮影等）を併有する多機能な携帯電話に利用可能である。
【図面の簡単な説明】
【００１４】
【図１】本発明の実施例１による携帯電話の構成を示すブロック図
【図２】本発明の実施例１による携帯電話のモード遷移処理を示すフローチャート
【図３】本発明の実施例２による携帯電話のモード遷移処理を示すフローチャート
【符号の説明】
【００１５】
１  携帯電話
２  表示部
３  キー操作部
４  無線部
５  カメラ
６  プログラムコード記憶部
７  設定データ記憶部
８  制御部
【図１】
2006229415.tif 000003
【図２】
2006229415.tif 000004
【図３】
2006229415.tif 000005